(57)【要約】【課題】ユーザが情報を入力する手間を増加させることなく、通信料金をユーザに認識させることによりユーザに通信を行うか否かを決定させることが可能な通信端末を提供すること。【解決手段】この通信端末２０Ａは、通信先特定情報により特定される通信先端末２０Ｂとの間の通信を開始するための通信要求情報を、通信制御装置１０Ａへ送信する。通信制御装置１０Ａは、通信端末２０Ａと通信先端末２０Ｂとの間の通信を制御する。通信端末２０Ａは、通信先特定情報により特定される通信先端末２０Ｂとの間で通信を行った場合における通信料金を表す通信料金情報を含む通信料金基礎情報をその通信先特定情報と対応付けて記憶する。通信端末２０Ａは、通信先特定情報と対応付けて記憶されている通信料金基礎情報に基づいて通信料金情報を取得する。通信端末２０Ａは、取得された通信料金情報を、通信先特定情報とともに表示する。【選択図】図１
2009224915.tif 000002
【特許請求の範囲】
【請求項１】
通信先特定情報により特定される通信先端末との間の通信の開始を要求し且つ当該通信先特定情報を含む通信要求情報を、当該通信先端末との間の通信を制御する通信制御装置へ送信する通信端末であって、
前記通信先特定情報により特定される通信先端末との間で通信を行った場合における通信料金を表す通信料金情報を含む通信料金基礎情報を当該通信先特定情報と対応付けて記憶する情報記憶手段と、
前記通信先特定情報と対応付けて記憶されている通信料金基礎情報に基づいて前記通信料金情報を取得する情報取得手段と、
前記取得された通信料金情報を、前記通信先特定情報とともに表示する出力手段と、
を備えた通信端末。
【請求項２】
請求項１に記載の通信端末であって、
前記通信料金基礎情報は、前記通信先端末の通信制御を行う通信事業者を特定する通信キャリア特定情報、及び、前記通信先端末が前記通信要求情報を送信することにより当該通信先端末が前記通信端末との間で通信を行った場合における通信料金を算出する基準となる通信先料金プラン情報、の少なくとも１つを含む通信先基礎情報と、当該通信先基礎情報及び前記通信料金情報を対応付けた通信元基礎情報と、を含み、
前記情報記憶手段は、前記通信元基礎情報を記憶するとともに、前記通信先基礎情報と前記通信先特定情報とを対応付けて記憶するように構成された通信端末。
【請求項３】
請求項２に記載の通信端末であって、
前記通信要求情報に応答して前記通信制御装置から送信された前記通信先基礎情報を受信する通信先基礎情報受信手段を備え、
前記情報記憶手段は、前記受信された通信先基礎情報を、前記通信要求情報に含まれる通信先特定情報と対応付けて記憶するように構成された通信端末。
【請求項４】
請求項３に記載の通信端末であって、
前記通信先基礎情報受信手段は、前記通信端末と前記通信先端末との間の通信が開始する前に前記通信制御装置から前記通信先基礎情報を受信するように構成された通信端末。
【請求項５】
請求項３に記載の通信端末であって、
前記通信先基礎情報受信手段は、前記通信端末と前記通信先端末との間の通信が終了した後に前記通信制御装置から前記通信先基礎情報を受信するように構成された通信端末。
【請求項６】
請求項１又は請求項２に記載の通信端末であって、
前記情報記憶手段は、前記ユーザにより入力された前記通信先基礎情報を記憶するように構成された通信端末。
【請求項７】
請求項１乃至請求項６のいずれか一項に記載の通信端末であって、
前記出力手段は、前記通信端末と前記通信先端末との間の通信が開始する前に、前記取得された通信料金情報を音声により出力するように構成された通信端末。
【請求項８】
請求項１乃至請求項７のいずれか一項に記載の通信端末であって、
前記出力手段によって前記通信料金情報及び前記通信先特定情報が表示されている状態において、当該表示されている通信先特定情報により特定される通信先端末との間の通信を指示する情報がユーザによって入力された場合にその通信先端末との間の通信の開始を要求し且つ当該通信先特定情報を含む前記通信要求情報を、前記通信制御装置へ送信する通信要求情報送信手段を備える通信端末。
【請求項９】
通信端末と、当該通信端末との間で通信する通信先端末と、当該通信装置と当該通信先端末との間の通信を制御する通信制御装置と、を含む通信システムであって、
前記通信端末は、
前記通信先端末との間の通信の開始を要求し且つ当該通信先端末を特定する通信先特定情報を含む通信要求情報を前記通信制御装置へ送信する通信要求情報送信手段を備え、
前記通信制御装置は、
前記通信要求情報を前記通信端末から受信し、当該受信した通信要求情報に応じて、前記通信先端末の通信制御を行う通信事業者を特定する通信キャリア特定情報、及び、前記通信先端末が前記通信要求情報を送信することにより当該通信先端末が前記通信端末との間で通信を行った場合における通信料金を算出する基準となる通信先料金プラン情報、の少なくとも１つを含む通信先基礎情報を当該通信端末へ送信する通信先基礎情報送信手段を備え、
更に、前記通信端末は、
前記通信制御装置から前記通信先基礎情報を受信する通信先基礎情報受信手段と、
前記通信要求情報に含まれる通信先特定情報と前記受信された通信先基礎情報とを対応付けて記憶するとともに、通信料金を表す通信料金情報及び当該通信先基礎情報を対応付けた通信元基礎情報を記憶する情報記憶手段と、
前記通信先特定情報と対応付けて記憶されている通信先基礎情報と、前記記憶されている通信元基礎情報と、に基づいて当該通信先特定情報により特定される通信先端末との間で通信を行った場合における通信料金を表す通信料金情報を取得する情報取得手段と、
前記取得された通信料金情報を、前記通信先特定情報とともに表示する出力手段と、
を備えた通信システム。
【請求項１０】
通信先特定情報により特定される通信先端末との間の通信の開始を要求し且つ当該通信先特定情報を含む通信要求情報を、当該通信先端末との間の通信を制御する通信制御装置へ送信する通信端末を制御するための端末制御方法であって、
前記通信先特定情報により特定される通信先端末との間で通信を行った場合における通信料金を表す通信料金情報を含む通信料金基礎情報を当該通信先特定情報と対応付けて記憶手段に記憶させる情報記憶処理工程と、
前記通信先特定情報と対応付けて記憶されている通信料金基礎情報に基づいて前記通信料金情報を取得する情報取得工程と、
前記取得された通信料金情報を、前記通信先特定情報とともに表示する出力工程と、
を含む端末制御方法。
【請求項１１】
請求項１０に記載の端末制御方法であって、
前記通信料金基礎情報は、前記通信先端末の通信制御を行う通信事業者を特定する通信キャリア特定情報、及び、前記通信先端末が前記通信要求情報を送信することにより当該通信先端末が前記通信端末との間で通信を行った場合における通信料金を算出する基準となる通信先料金プラン情報、の少なくとも１つを含む通信先基礎情報と、当該通信先基礎情報及び前記通信料金情報を対応付けた通信元基礎情報と、を含み、
前記情報記憶処理工程は、前記通信元基礎情報を前記記憶手段に記憶させるとともに、前記通信先基礎情報と前記通信先特定情報とを対応付けて当該記憶手段に記憶させるように構成された端末制御方法。
【請求項１２】
通信先特定情報により特定される通信先端末との間の通信の開始を要求し且つ当該通信先特定情報を含む通信要求情報を、当該通信先端末との間の通信を制御する通信制御装置へ送信する通信端末に、
前記通信先特定情報により特定される通信先端末との間で通信を行った場合における通信料金を表す通信料金情報を含む通信料金基礎情報を当該通信先特定情報と対応付けて記憶手段に記憶させる情報記憶処理手段と、
前記通信先特定情報と対応付けて記憶されている通信料金基礎情報に基づいて前記通信料金情報を取得する情報取得手段と、
前記取得された通信料金情報を、前記通信先特定情報とともに表示手段に表示させる出力処理手段と、
を実現させるための端末制御プログラム。
【請求項１３】
請求項１２に記載の端末制御プログラムであって、
前記通信料金基礎情報は、前記通信先端末の通信制御を行う通信事業者を特定する通信キャリア特定情報、及び、前記通信先端末が前記通信要求情報を送信することにより当該通信先端末が前記通信端末との間で通信を行った場合における通信料金を算出する基準となる通信先料金プラン情報、の少なくとも１つを含む通信先基礎情報と、当該通信先基礎情報及び前記通信料金情報を対応付けた通信元基礎情報と、を含み、
前記情報記憶処理手段は、前記通信元基礎情報を前記記憶手段に記憶させるとともに、前記通信先基礎情報と前記通信先特定情報とを対応付けて当該記憶手段に記憶させるように構成された端末制御プログラム。
【発明の詳細な説明】
【技術分野】
【０００１】
本発明は、他の端末と通信する通信端末に関する。
【背景技術】
【０００２】
通信先端末（例えば、電話装置）との間で通信を開始する際に、その通信を行った場合における通信料金を表す通信料金情報を出力する通信端末（例えば、電話装置）が知られている（例えば、特許文献１を参照）。
【０００３】
この通信端末は、通信先端末との間の通信を指示する通信指示情報がユーザによって入力された後に、通信を制御する通信制御装置から通信料金情報を受信するように構成されている。
【特許文献１】特開２００６−２９５４７１号公報
【０００４】
この通信端末によれば、ユーザが通信指示情報を入力した後に、通信料金情報が出力される。従って、ユーザが通信料金を認識することができ、通信を行うか否かを決定することができる。
【発明の開示】
【発明が解決しようとする課題】
【０００５】
ところで、上記通信端末によれば、ユーザが通信料金を認識した後に通信の中止を希望する場合には、ユーザは、通信を中止するための中止指示情報を入力する操作を行う必要があった。この場合、通信指示情報を入力する操作、及び、中止指示情報を入力する操作が無駄に行われたことになる。即ち、ユーザが情報を入力する手間が増加するという問題があった。
【０００６】
このため、本発明の目的は、上述した課題である「ユーザが情報を入力する手間を増加させることなく、通信料金をユーザに認識させることによりユーザに通信を行うか否かを決定させることができないこと」を解決することが可能な通信端末を提供することにある。
【課題を解決するための手段】
【０００７】
かかる目的を達成するため本発明の一形態である通信端末は、
通信先特定情報により特定される通信先端末との間の通信の開始を要求し且つ当該通信先特定情報を含む通信要求情報を、当該通信先端末との間の通信を制御する通信制御装置へ送信する端末である。
更に、この通信端末は、
上記通信先特定情報により特定される通信先端末との間で通信を行った場合における通信料金を表す通信料金情報を含む通信料金基礎情報を当該通信先特定情報と対応付けて記憶する情報記憶手段と、
上記通信先特定情報と対応付けて記憶されている通信料金基礎情報に基づいて上記通信料金情報を取得する情報取得手段と、
上記取得された通信料金情報を、上記通信先特定情報とともに表示する出力手段と、
を備える。
【０００８】
また、本発明の他の形態である通信システムは、
通信端末と、当該通信端末との間で通信する通信先端末と、当該通信装置と当該通信先端末との間の通信を制御する通信制御装置と、を含むシステムである。
更に、上記通信端末は、
上記通信先端末との間の通信の開始を要求し且つ当該通信先端末を特定する通信先特定情報を含む通信要求情報を上記通信制御装置へ送信する通信要求情報送信手段を備え、
上記通信制御装置は、
上記通信要求情報を上記通信端末から受信し、当該受信した通信要求情報に応じて、上記通信先端末の通信制御を行う通信事業者を特定する通信キャリア特定情報、及び、上記通信先端末が上記通信要求情報を送信することにより当該通信先端末が上記通信端末との間で通信を行った場合における通信料金を算出する基準となる通信先料金プラン情報、の少なくとも１つを含む通信先基礎情報を当該通信端末へ送信する通信先基礎情報送信手段を備え、
更に、上記通信端末は、
上記通信制御装置から上記通信先基礎情報を受信する通信先基礎情報受信手段と、
上記通信要求情報に含まれる通信先特定情報と上記受信された通信先基礎情報とを対応付けて記憶するとともに、通信料金を表す通信料金情報及び当該通信先基礎情報を対応付けた通信元基礎情報を記憶する情報記憶手段と、
上記通信先特定情報と対応付けて記憶されている通信先基礎情報と、上記記憶されている通信元基礎情報と、に基づいて当該通信先特定情報により特定される通信先端末との間で通信を行った場合における通信料金を表す通信料金情報を取得する情報取得手段と、
上記取得された通信料金情報を、上記通信先特定情報とともに表示する出力手段と、
を備える。
【０００９】
また、本発明の他の形態である端末制御方法は、
通信先特定情報により特定される通信先端末との間の通信の開始を要求し且つ当該通信先特定情報を含む通信要求情報を、当該通信先端末との間の通信を制御する通信制御装置へ送信する通信端末を制御するための方法である。
更に、この端末制御方法は、
上記通信先特定情報により特定される通信先端末との間で通信を行った場合における通信料金を表す通信料金情報を含む通信料金基礎情報を当該通信先特定情報と対応付けて記憶手段に記憶させる情報記憶処理工程と、
上記通信先特定情報と対応付けて記憶されている通信料金基礎情報に基づいて上記通信料金情報を取得する情報取得工程と、
上記取得された通信料金情報を、上記通信先特定情報とともに表示する出力工程と、
を含む。
【００１０】
また、本発明の他の形態である端末制御プログラムは、
通信先特定情報により特定される通信先端末との間の通信の開始を要求し且つ当該通信先特定情報を含む通信要求情報を、当該通信先端末との間の通信を制御する通信制御装置へ送信する通信端末に、
上記通信先特定情報により特定される通信先端末との間で通信を行った場合における通信料金を表す通信料金情報を含む通信料金基礎情報を当該通信先特定情報と対応付けて記憶手段に記憶させる情報記憶処理手段と、
上記通信先特定情報と対応付けて記憶されている通信料金基礎情報に基づいて上記通信料金情報を取得する情報取得手段と、
上記取得された通信料金情報を、上記通信先特定情報とともに表示手段に表示させる出力処理手段と、
を実現させるためのプログラムである。
【発明の効果】
【００１１】
本発明は、以上のように構成されることにより、ユーザが情報を入力する手間を増加させることなく、通信料金をユーザに認識させることによりユーザに通信を行うか否かを決定させることができる。
【発明を実施するための最良の形態】
【００１２】
本発明の一形態である通信端末は、
通信先特定情報により特定される通信先端末との間の通信の開始を要求し且つ当該通信先特定情報を含む通信要求情報を、当該通信先端末との間の通信を制御する通信制御装置へ送信する端末である。
更に、この通信端末は、
上記通信先特定情報により特定される通信先端末との間で通信を行った場合における通信料金を表す通信料金情報を含む通信料金基礎情報を当該通信先特定情報と対応付けて記憶する情報記憶手段と、
上記通信先特定情報と対応付けて記憶されている通信料金基礎情報に基づいて上記通信料金情報を取得する情報取得手段と、
上記取得された通信料金情報を、上記通信先特定情報とともに表示する出力手段と、
を備える。
【００１３】
これによれば、ユーザが通信端末に通信要求情報を送信させるための情報（通信先端末との間の通信を指示する通信指示情報）を入力する操作を行う前に、ユーザに通信料金を認識させることができる。この結果、ユーザが無駄に情報を入力する操作を行うことを防止することができる。即ち、ユーザが情報を入力する手間を増加させることなく、通信料金をユーザに認識させることによりユーザに通信を行うか否かを決定させることができる。従って、ユーザの利便性を向上させることができる。
【００１４】
この場合、
上記通信料金基礎情報は、上記通信先端末の通信制御を行う通信事業者を特定する通信キャリア特定情報、及び、上記通信先端末が上記通信要求情報を送信することにより当該通信先端末が上記通信端末との間で通信を行った場合における通信料金を算出する基準となる通信先料金プラン情報、の少なくとも１つを含む通信先基礎情報と、当該通信先基礎情報及び上記通信料金情報を対応付けた通信元基礎情報と、を含み、
上記情報記憶手段は、上記通信元基礎情報を記憶するとともに、上記通信先基礎情報と上記通信先特定情報とを対応付けて記憶するように構成されることが好適である。
【００１５】
これによれば、通信元基礎情報が変更されることにより、通信端末が各通信先端末との間で通信を行った場合における通信料金（各通信先端末に対する通信料金）が変更された場合、新たに通信先基礎情報を取得することなく、各通信先端末に対する通信料金情報を取得することができる。
【００１６】
また、通信料金は、通信先端末の通信制御を行う通信事業者毎に設定される場合がある。従って、上記構成のように、通信先基礎情報が通信キャリア特定情報を含むことが好適である。同様に、通信料金は、通信先端末に適用される料金プラン毎に設定される場合がある。従って、上記構成のように、通信先基礎情報が通信先料金プラン情報を含むことが好適である。
【００１７】
この場合、上記通信端末は、
上記通信要求情報に応答して上記通信制御装置から送信された上記通信先基礎情報を受信する通信先基礎情報受信手段を備え、
上記情報記憶手段は、上記受信された通信先基礎情報を、上記通信要求情報に含まれる通信先特定情報と対応付けて記憶するように構成されることが好適である。
【００１８】
これによれば、ユーザにより入力された通信先基礎情報を通信端末が記憶する場合と比較して、ユーザが通信先基礎情報を入力する手間を軽減することができる。また、ユーザにより入力された通信先基礎情報を通信端末が記憶する場合よりも正確な通信先基礎情報を通信端末に記憶させることができる。この結果、より正確な通信料金情報を表示することができる。
【００１９】
この場合、
上記通信先基礎情報受信手段は、上記通信端末と上記通信先端末との間の通信が開始する前に上記通信制御装置から上記通信先基礎情報を受信するように構成されることが好適である。
【００２０】
これによれば、通信端末と通信先端末との間の通信が開始する前に、通信端末は通信料金情報を出力することができる。従って、通信が開始する前にユーザに通信料金を認識させることができる。この結果、通信が開始する前にユーザが通信を実際に開始させるか否かを判断することができる。従って、ユーザの利便性を向上させることができる。
【００２１】
この場合、
上記通信先基礎情報受信手段は、上記通信端末と上記通信先端末との間の通信が終了した後に上記通信制御装置から上記通信先基礎情報を受信するように構成されることが好適である。
【００２２】
ところで、通信が開始する前に通信制御装置から通信先基礎情報を受信するように通信端末が構成された場合、通信の開始が遅延する。これに対し、上記構成によれば、通信の開始が遅延することを回避することができる。
【００２３】
一方、上記通信端末の他の態様において、
上記情報記憶手段は、上記ユーザにより入力された上記通信先基礎情報を記憶するように構成されることが好適である。
【００２４】
これによれば、通信制御装置と通信端末との間の通信量を低減することができる。
【００２５】
また、上記通信端末のいずれかにおいて、
上記出力手段は、上記通信端末と上記通信先端末との間の通信が開始する前に、上記取得された通信料金情報を音声により出力するように構成されることが好適である。
【００２６】
これによれば、通信が開始する前にユーザに通信料金をより一層確実に認識させることができる。この結果、ユーザの利便性を向上させることができる。
【００２７】
この場合、上記通信端末は、
上記出力手段によって上記通信料金情報及び上記通信先特定情報が表示されている状態において、当該表示されている通信先特定情報により特定される通信先端末との間の通信を指示する情報がユーザによって入力された場合にその通信先端末との間の通信の開始を要求し且つ当該通信先特定情報を含む上記通信要求情報を、上記通信制御装置へ送信する通信要求情報送信手段を備えることが好適である。
【００２８】
また、本発明の他の形態である通信システムは、
通信端末と、当該通信端末との間で通信する通信先端末と、当該通信装置と当該通信先端末との間の通信を制御する通信制御装置と、を含むシステムである。
更に、上記通信端末は、
上記通信先端末との間の通信の開始を要求し且つ当該通信先端末を特定する通信先特定情報を含む通信要求情報を上記通信制御装置へ送信する通信要求情報送信手段を備え、
上記通信制御装置は、
上記通信要求情報を上記通信端末から受信し、当該受信した通信要求情報に応じて、上記通信先端末の通信制御を行う通信事業者を特定する通信キャリア特定情報、及び、上記通信先端末が上記通信要求情報を送信することにより当該通信先端末が上記通信端末との間で通信を行った場合における通信料金を算出する基準となる通信先料金プラン情報、の少なくとも１つを含む通信先基礎情報を当該通信端末へ送信する通信先基礎情報送信手段を備え、
更に、上記通信端末は、
上記通信制御装置から上記通信先基礎情報を受信する通信先基礎情報受信手段と、
上記通信要求情報に含まれる通信先特定情報と上記受信された通信先基礎情報とを対応付けて記憶するとともに、通信料金を表す通信料金情報及び当該通信先基礎情報を対応付けた通信元基礎情報を記憶する情報記憶手段と、
上記通信先特定情報と対応付けて記憶されている通信先基礎情報と、上記記憶されている通信元基礎情報と、に基づいて当該通信先特定情報により特定される通信先端末との間で通信を行った場合における通信料金を表す通信料金情報を取得する情報取得手段と、
上記取得された通信料金情報を、上記通信先特定情報とともに表示する出力手段と、
を備える。
【００２９】
また、本発明の他の形態である端末制御方法は、
通信先特定情報により特定される通信先端末との間の通信の開始を要求し且つ当該通信先特定情報を含む通信要求情報を、当該通信先端末との間の通信を制御する通信制御装置へ送信する通信端末を制御するための方法である。
更に、この端末制御方法は、
上記通信先特定情報により特定される通信先端末との間で通信を行った場合における通信料金を表す通信料金情報を含む通信料金基礎情報を当該通信先特定情報と対応付けて記憶手段に記憶させる情報記憶処理工程と、
上記通信先特定情報と対応付けて記憶されている通信料金基礎情報に基づいて上記通信料金情報を取得する情報取得工程と、
上記取得された通信料金情報を、上記通信先特定情報とともに表示する出力工程と、
を含む。
【００３０】
この場合、
上記通信料金基礎情報は、上記通信先端末の通信制御を行う通信事業者を特定する通信キャリア特定情報、及び、上記通信先端末が上記通信要求情報を送信することにより当該通信先端末が上記通信端末との間で通信を行った場合における通信料金を算出する基準となる通信先料金プラン情報、の少なくとも１つを含む通信先基礎情報と、当該通信先基礎情報及び上記通信料金情報を対応付けた通信元基礎情報と、を含み、
上記情報記憶処理工程は、上記通信元基礎情報を上記記憶手段に記憶させるとともに、上記通信先基礎情報と上記通信先特定情報とを対応付けて当該記憶手段に記憶させるように構成されることが好適である。
【００３１】
また、本発明の他の形態である端末制御プログラムは、
通信先特定情報により特定される通信先端末との間の通信の開始を要求し且つ当該通信先特定情報を含む通信要求情報を、当該通信先端末との間の通信を制御する通信制御装置へ送信する通信端末に、
上記通信先特定情報により特定される通信先端末との間で通信を行った場合における通信料金を表す通信料金情報を含む通信料金基礎情報を当該通信先特定情報と対応付けて記憶手段に記憶させる情報記憶処理手段と、
上記通信先特定情報と対応付けて記憶されている通信料金基礎情報に基づいて上記通信料金情報を取得する情報取得手段と、
上記取得された通信料金情報を、上記通信先特定情報とともに表示手段に表示させる出力処理手段と、
を実現させるためのプログラムである。
【００３２】
この場合、
上記通信料金基礎情報は、上記通信先端末の通信制御を行う通信事業者を特定する通信キャリア特定情報、及び、上記通信先端末が上記通信要求情報を送信することにより当該通信先端末が上記通信端末との間で通信を行った場合における通信料金を算出する基準となる通信先料金プラン情報、の少なくとも１つを含む通信先基礎情報と、当該通信先基礎情報及び上記通信料金情報を対応付けた通信元基礎情報と、を含み、
上記情報記憶処理手段は、上記通信元基礎情報を上記記憶手段に記憶させるとともに、上記通信先基礎情報と上記通信先特定情報とを対応付けて当該記憶手段に記憶させるように構成されることが好適である。
【００３３】
上述した構成を有する、通信システム、端末制御方法、又は、端末制御プログラム、の発明であっても、上記通信端末と同様の作用を有するために、上述した本発明の目的を達成することができる。
【００３４】
以下、本発明に係る、通信端末、通信システム、端末制御方法、及び、端末制御プログラム、の実施形態について図１〜図１０を参照しながら説明する。
【００３５】
＜実施形態＞
図１に示したように、実施形態に係る通信システム１は、複数の通信制御装置（基地局）１０Ａ，１０Ｂと、複数の携帯電話端末（通信端末）２０Ａ，２０Ｂと、を含む。
【００３６】
通信制御装置１０Ａ，１０Ｂは、通信回線（本例では、公衆電話網）ＮＷを介して互いに通信可能に接続されている。
【００３７】
通信制御装置１０Ａは、無線用アンテナ１１を備える。通信制御装置１０Ａは、無線用アンテナ１１を介して携帯電話端末２０Ａと通信可能に構成されている。通信制御装置１０Ａは、交換機を含んでいる。また、通信制御装置１０Ａは、図示しないＣＰＵ及びメモリを備えている。通信制御装置１０Ａは、ＣＰＵがメモリに記憶されているプログラムを実行することにより後述する機能を実現する。
通信制御装置１０Ｂは、通信制御装置１０Ａと同様の構成を有している。
このような構成により、通信制御装置１０Ａ，１０Ｂは、携帯電話端末２０Ａと携帯電話端末２０Ｂとの間の通信を制御する。
【００３８】
携帯電話端末２０Ａは、図２に示したように、制御部２１と、無線信号処理部２２と、音声信号処理部２３と、入力部２４と、表示部２５と、を含む。
【００３９】
制御部２１は、バスを介して互いに接続されたＣＰＵ２１ａ及びメモリ（記憶手段）２１ｂを有する。ＣＰＵ２１ａは、メモリ２１ｂに記憶されている所定のプログラムを実行することにより、携帯電話端末２０Ａを構成する各部を制御する。
【００４０】
また、無線信号処理部２２には、無線用アンテナ２２ａが接続されている。無線信号処理部２２は、制御部２１からの情報を、無線用アンテナ２２ａを介して通信制御装置１０Ａへ送信する。更に、無線信号処理部２２は、無線用アンテナ２２ａを介して通信制御装置１０Ａから情報を受信し、取得した情報を制御部２１へ送る。
【００４１】
また、音声信号処理部２３には、マイクロホン２３ａ及びスピーカ２３ｂが接続されている。マイクロホン２３ａは、マイクロホン２３ａの周囲の音声を表す入力音声信号を音声信号処理部２３へ出力する。音声信号処理部２３は、マイクロホン２３ａにより出力された入力音声信号に基づいて（入力音声信号を変換することにより）入力音声情報を生成し、生成した入力音声情報を制御部２１へ送る。
【００４２】
加えて、音声信号処理部２３は、制御部２１からの出力音声情報に基づいて（出力音声情報を変換することにより）出力音声信号を生成し、生成した出力音声信号をスピーカ２３ｂへ送る。スピーカ２３ｂは、音声信号処理部２３からの出力音声信号が表す音声をスピーカ２３ｂの外部へ出力する。
【００４３】
更に、制御部２１は、携帯電話端末（通信先端末）２０Ｂとの間の通信（通話）用接続を確立するために、制御用送信情報を無線信号処理部２２へ送るとともに制御用受信情報を無線信号処理部２２から受け取る。
【００４４】
制御部２１は、通信用接続が確立している場合、音声信号処理部２３からの入力音声情報を無線信号処理部２２へ送る。更に、制御部２１は、通信用接続が確立している場合、無線信号処理部２２により受信された情報に基づいて出力音声情報を生成し、生成した出力音声情報を音声信号処理部２３へ送る。このような構成により、携帯電話端末２０Ａのユーザは、通信用接続が確立している場合、マイクロホン２３ａ及びスピーカ２３ｂを介して通信先（通話先）の携帯電話端末２０Ｂのユーザとの間で通話を行うことができる。
【００４５】
入力部２４は、複数のキー（ボタン式スイッチ）２４ａを有している。入力部２４は、これらのキー２４ａが押し込まれると、それぞれのキー２４ａに対応する操作入力情報を制御部２１へ出力するようになっている。
表示部２５は、ディスプレイ２５ａを有している。表示部２５は、制御部２１からの画像情報に基づいてそのディスプレイ２５ａに文字及び図形等からなる画像を表示するようになっている。
【００４６】
図３は、上記のように構成された通信制御装置１０Ａ及び携帯電話端末（通信端末）２０Ａの機能のうちの、携帯電話端末２０Ａと携帯電話端末（通信先端末）２０Ｂとの間の通信用接続を確立する（携帯電話端末２０Ａが発呼する）際の機能を表すブロック図である。この機能は、携帯電話端末２０ＡのＣＰＵ２１ａがメモリ２１ｂに記憶されているプログラムを実行すること、及び、通信制御装置１０ＡのＣＰＵが通信制御装置１０Ａのメモリに記憶されているプログラムを実行すること等により実現される。
【００４７】
この携帯電話端末２０Ａの機能は、情報記憶部（情報記憶手段）３１と、通信料金情報取得部（情報取得手段）３２と、通信先一覧表示部（出力手段の一部）３３と、通信指示情報受付部３４と、通信制御部（通信要求情報送信手段及び通信先基礎情報受信手段）３５と、通信情報出力部（出力手段の一部）３６と、を含む。
【００４８】
情報記憶部３１は、図４に示したように、通信キャリア特定情報（通信先基礎情報）と、通信料金（通話料金）を表す通信料金情報と、の組からなる通信元基礎情報をメモリ２１ｂに複数記憶させている。即ち、情報記憶部３１は、通信キャリア特定情報（通信先基礎情報）と、通信料金情報と、を対応付けてメモリ２１ｂに記憶させていると言うことができる。
【００４９】
ここで、通信キャリア特定情報は、通信先の携帯電話端末の通信制御を行う通信事業者を特定する情報である。また、通信料金情報は、同一の通信元基礎情報を構成する通信キャリア特定情報により特定される通信事業者が通信制御を行う携帯電話端末と携帯電話端末２０Ａとの間で通信を行った場合における通信料金を表す情報である。また、通信料金情報は、１分あたりの通信（本例では、音声通信、通話）に対して課される料金を表す。
【００５０】
なお、本例では、通信キャリア特定情報「ＣＡ」と通信料金情報「１０」との組からなる通信元基礎情報と、通信キャリア特定情報「ＣＢ」と通信料金情報「１５」との組からなる通信元基礎情報と、通信キャリア特定情報「ＣＣ」と通信料金情報「１０」との組からなる通信元基礎情報と、がメモリ２１ｂに記憶されている。
【００５１】
また、本例では、情報記憶部３１は、携帯電話端末２０Ａの起動時に、通信制御装置１０Ａから通信元基礎情報を受信し、受信した通信元基礎情報をメモリ２１ｂに記憶させる。なお、情報記憶部３１は、ユーザにより入力された通信元基礎情報をメモリ２１ｂに記憶させる機能を有していてもよい。
【００５２】
更に、情報記憶部３１は、図５に示したように、通信先電話番号情報（通信先特定情報）と、通信先名称情報と、通信キャリア特定情報（通信先基礎情報）と、の組からなる通信先情報をメモリ２１ｂに複数記憶させている。即ち、情報記憶部３１は、通信先電話番号情報（通信先特定情報）と、通信先名称情報と、通信キャリア特定情報（通信先基礎情報）と、を対応付けてメモリ２１ｂに記憶させている。
【００５３】
ここで、通信先電話番号情報は、通信先の携帯電話端末を特定する電話番号を表す情報である。また、通信先名称情報は、通信先の携帯電話端末のユーザを識別するために携帯電話端末２０Ａのユーザが設定した情報である。
【００５４】
なお、本例では、通信先電話番号情報「１２３−４５６７−８９０１」と通信先名称情報「ＡＡＡさん」と通信キャリア特定情報「ＣＡ」との組からなる通信先情報と、通信先電話番号情報「１２３−４５６７−８９０２」と通信先名称情報「ＢＢＢさん」と通信キャリア特定情報「ＣＢ」との組からなる通信先情報と、通信先電話番号情報「１２３−４５６７−８９０３」と通信先名称情報「ＣＣＣさん」と通信キャリア特定情報「ＣＣ」との組からなる通信先情報と、通信先電話番号情報「１２３−４５６７−８９０４」と通信先名称情報「ＤＤＤさん」と通信キャリア特定情報「ＣＡ」との組からなる通信先情報と、がメモリ２１ｂに記憶されている。
【００５５】
また、通信先基礎情報を含む通信先情報、及び、通信元基礎情報は、通信料金基礎情報を構成している。
【００５６】
通信料金情報取得部３２は、情報記憶部３１によりメモリ２１ｂに記憶されている通信先情報及び通信元基礎情報に基づいて、各通信先の携帯電話端末に対する通信料金情報を取得する。即ち、通信料金情報取得部３２は、通信先情報に含まれる通信キャリア特定情報と同一の通信キャリア特定情報を含む通信元基礎情報に含まれる通信料金情報を、その通信先情報によって特定される通信先の携帯電話端末に対する通信料金情報として取得する。
【００５７】
通信先一覧表示部３３は、ユーザが入力部２４を介して入力する一覧表示指示情報に応じて、図６に示したように、通信先情報毎の通信先情報表示画像６０１〜６０４の一覧を、ディスプレイ２５ａに表示させる。各通信先情報表示画像６０１〜６０４は、通信先情報に含まれる通信先電話番号情報が表す通信先電話番号と、通信先情報に含まれる通信先名称情報が表す通信先名称と、通信料金情報取得部３２により取得された通信料金情報が表す通信料金と、を表す画像である。
【００５８】
通信指示情報受付部３４は、ユーザが入力部２４を介して入力する通信先選択情報を受け付ける。具体的には、通信指示情報受付部３４は、通信先一覧表示部３３によって表示された通信先情報表示画像６０１〜６０４の一覧の中から、１つの通信先情報表示画像をユーザに選択させることによって、その通信先情報表示画像に対応する通信先選択情報を受け付ける。通信先選択情報は、通信先の携帯電話端末を特定する情報（本例では、通信先電話番号情報）である。
【００５９】
更に、通信指示情報受付部３４は、ユーザが入力部２４を介して入力する通信指示情報を受け付ける。通信指示情報は、通信先選択情報により特定される通信先の携帯電話端末との間の通信の開始を指示する情報である。
【００６０】
通信制御部３５は、通信指示情報受付部３４によって受け付けられた通信先選択情報及び通信指示情報に基づいて、通信要求情報を通信制御装置１０Ａへ送信する。通信要求情報は、通信先選択情報（本例では、通信先電話番号情報）を含み、且つ、通信先選択情報により特定される通信先の携帯電話端末との間の通信の開始を要求する情報である。
【００６１】
更に、通信制御部３５は、後述するように、通信要求情報に応じて通信制御装置１０Ａから通信キャリア特定情報（通信先基礎情報）を受信する。
情報記憶部３１は、通信制御部３５により受信された通信キャリア特定情報を、上記通信要求情報に含まれる通信先選択情報を含む通信先情報を構成する通信キャリア特定情報として、メモリ２１ｂに記憶させる。即ち、情報記憶部３１は、通信制御装置１０Ａから受信した通信キャリア特定情報を、上記通信先情報に含まれる通信先特定情報と対応付けてメモリ２１ｂに記憶させると言うことができる。
【００６２】
通信情報出力部３６は、通信制御部３５が通信キャリア特定情報を受信すると、図７に示したような画像をディスプレイ２５ａに表示させる。この画像は、上記通信要求情報に含まれる通信先選択情報を含む通信先情報に係る、通信先電話番号と、通信先名称と、受信した通信キャリア特定情報に基づいて通信料金情報取得部３２により取得された通信料金情報が表す通信料金と、を表す画像である。
【００６３】
更に、通信情報出力部３６は、通信制御部３５が通信キャリア特定情報を受信すると、携帯電話端末２０Ａと携帯電話端末２０Ｂとの間の通信が開始する（通信用接続が確立される）前に（通信の開始に先立って）、上記通信料金をユーザに通知するためのメッセージ（例えば、「この通話は、1分あたり１０円が課金されます」というメッセージ）を含む音声をスピーカ２３ｂに出力させる。即ち、通信情報出力部３６は、上記通信料金情報を音声により出力すると言うことができる。
【００６４】
通信制御装置１０Ａの機能は、通信先基礎情報取得部４１ａを含む呼制御部（通信先基礎情報送信手段）４１を有する。
通信先基礎情報取得部４１ａは、通信要求情報を受信すると、その通信要求情報に含まれる通信先選択情報によって特定される通信先の携帯電話端末２０Ｂの通信先基礎情報（本例では、通信キャリア特定情報）を要求する基礎情報要求情報を通信制御装置１０Ｂへ送信する。
【００６５】
通信先基礎情報取得部４１ａは、基礎情報要求情報に応じて通信制御装置１０Ｂから通信先基礎情報を受信（取得）する。
呼制御部４１は、通信先基礎情報取得部４１ａによって取得された通信先基礎情報を、通信要求情報を送信してきた携帯電話端末２０Ａへ送信する。
【００６６】
そして、呼制御部４１は、携帯電話端末２０Ｂを呼び出す（携帯電話端末２０Ｂに着信を通知する）ための呼出信号を、通信制御装置１０Ｂを介して携帯電話端末２０Ｂへ送信する。
更に、呼制御部４１は、呼出信号に応答する応答信号を通信制御装置１０Ｂを介して携帯電話端末２０Ｂから受信すると、携帯電話端末２０Ａと携帯電話端末２０Ｂとの間の通信用接続を確立する。
これにより、携帯電話端末２０Ａ及び携帯電話端末２０Ｂの状態は、携帯電話端末２０Ａのユーザ（発呼者）と、携帯電話端末２０Ｂのユーザ（被呼者）と、の間で通話可能な状態となる。
【００６７】
次に、上述した機能に係る通信システム１の作動について、図８に示したシーケンス図を参照しながら具体的に述べる。
いま、携帯電話端末２０Ａのメモリ２１ｂに、図４に示したように通信元基礎情報が記憶されるとともに、図５に示したように通信先情報が記憶されている状態を想定して説明を続ける。
【００６８】
更に、携帯電話端末（通信端末）２０ＡのユーザＵＡが、電話番号「１２３−４５６７−８９０１」により特定される携帯電話端末（通信先端末）２０ＢのユーザＵＢ（ユーザＵＡが「ＡＡＡさん」を通信先名称情報として設定したユーザ）と通話することを希望する場合について説明する。
【００６９】
この場合、携帯電話端末２０ＡのユーザＵＡは、通信先情報の一覧を表示することを指示する一覧表示指示情報を携帯電話端末２０Ａに入力する。本例では、ユーザＵＡは、一覧表示指示情報に割り当てられたキー２４ａを押し込むことにより、一覧表示指示情報を入力する。
【００７０】
これにより、携帯電話端末２０ＡのＣＰＵ２１ａは、メモリ２１ｂに記憶されている通信元基礎情報及び通信先情報に基づいて通信料金情報を取得する。そして、ＣＰＵ２１ａは、図６に示したように、通信先情報毎の通信先情報表示画像６０１〜６０４の一覧を、ディスプレイ２５ａに表示させる（図８のステップＡ１、情報取得工程、情報取得手段、出力工程及び出力手段）。
【００７１】
このように、通信料金情報が通信先情報とともに表示される。これによれば、ユーザＵＡが携帯電話端末２０Ａに通信要求情報を送信させるための情報（通信先選択情報及び通信指示情報）を入力する操作を行う前に、ユーザＵＡに通信料金を認識させることができる。この結果、ユーザＵＡが無駄に情報を入力する操作を行うことを防止することができる。即ち、ユーザＵＡが情報を入力する手間を増加させることなく、通信料金をユーザＵＡに認識させることによりユーザＵＡに通信を行うか否かを決定させることができる。従って、ユーザＵＡの利便性を向上させることができる。
【００７２】
そして、ＣＰＵ２１ａは、ユーザＵＡによって、通信先選択情報及び通信指示情報が入力されるまで待機する。
【００７３】
ユーザＵＡは、ディスプレイ２５ａに表示された通信先情報表示画像６０１〜６０４の一覧の中から、１つの通信先情報表示画像を選択するとともに、通信指示情報に割り当てられたキー２４ａを押し込むことにより、選択された通信先情報表示画像に対応する通信先選択情報、及び、通信指示情報を入力する。
【００７４】
これにより、ＣＰＵ２１ａは、入力された通信先選択情報及び通信指示情報を受け付ける（ステップＡ２）。次いで、ＣＰＵ２１ａは、受け付けた通信先選択情報及び通信指示情報に基づいて、通信要求情報を通信制御装置１０Ａへ送信する（ステップＡ３）。そして、通信先基礎情報を通信制御装置１０Ａから受信するまで待機する。
【００７５】
一方、通信制御装置１０Ａは、通信要求情報を受信するまで待機している。この状態においては、通信制御装置１０Ａは、携帯電話端末２０Ａから通信要求情報を受信する。
従って、通信制御装置１０Ａは、その通信要求情報に含まれる通信先選択情報によって特定される通信先の携帯電話端末２０Ｂの通信先基礎情報（本例では、通信キャリア特定情報）を要求する基礎情報要求情報を通信制御装置１０Ｂへ送信する（ステップＢ１）。そして、通信制御装置１０Ａは、通信制御装置１０Ｂから通信先基礎情報を受信するまで待機する。
【００７６】
一方、通信制御装置１０Ｂは、基礎情報要求情報を受信するまで待機している。この状態においては、通信制御装置１０Ｂは、通信制御装置１０Ａから基礎情報要求情報を受信する。
従って、通信制御装置１０Ｂは、受信した基礎情報要求情報に応じて通信先基礎情報を通信制御装置１０Ａへ送信する（ステップＣ１）。
【００７７】
これにより、通信制御装置１０Ａは、通信制御装置１０Ｂから通信先基礎情報を受信する。従って、通信制御装置１０Ａは、受信した通信先基礎情報を携帯電話端末２０Ａへ送信する（ステップＢ２）。そして、通信制御装置１０Ａは、予め設定された時間だけ待機する。
【００７８】
一方、携帯電話端末２０Ａは、通信制御装置１０Ａから通信先基礎情報を受信する。従って、携帯電話端末２０ＡのＣＰＵ２１ａは、受信した通信先基礎情報を、上記送信した通信要求情報に含まれる通信先選択情報（ここでは、「１２３−４５６７−８９０１」を表す情報）を含む通信先情報を構成する通信キャリア特定情報として、メモリ２１ｂに記憶させる（ステップＡ４、情報記憶処理工程及び情報記憶処理手段）。即ち、この場合、通信先情報は変更されない。
【００７９】
このように、携帯電話端末２０Ａは、携帯電話端末２０Ａと携帯電話端末２０Ｂとの間の通信が開始する前に、通信制御装置１０Ａから通信先基礎情報を受信する。
【００８０】
そして、ＣＰＵ２１ａは、メモリ２１ｂに記憶されている通信先情報のうちの、上記送信した通信要求情報に含まれる通信先選択情報を含む通信先情報と、メモリ２１ｂに記憶されている通信元基礎情報と、に基づいて通信料金情報を取得する。
【００８１】
更に、ＣＰＵ２１ａは、通信先電話番号「１２３−４５６７−８９０１」と、通信先名称「ＡＡＡさん」と、取得した通信料金情報が表す通信料金「１０円／分」と、を表す画像をディスプレイ２５ａに表示させる（図７を参照）。加えて、ＣＰＵ２１ａは、取得した通信料金情報が表す通信料金をユーザに通知するためのメッセージ（本例では、「この通話は、1分あたり１０円が課金されます」というメッセージ）を含む音声をスピーカ２３ｂに出力させる（ステップＡ５、情報取得工程、情報取得手段、出力工程及び出力手段）。
【００８２】
このように、携帯電話端末２０Ａは、携帯電話端末２０Ａと携帯電話端末２０Ｂとの間の通信が開始する前に、通信料金情報を音声により出力する。これによれば、通信が開始する前にユーザＵＡに通信料金をより一層確実に認識させることができる。この結果、ユーザＵＡの利便性を向上させることができる。
【００８３】
その後、通信制御装置１０Ａは、携帯電話端末２０Ｂを呼び出す（携帯電話端末２０Ｂに着信を通知する）ための呼出信号を、通信制御装置１０Ｂを介して携帯電話端末２０Ｂへ送信する（ステップＢ３）。そして、通信制御装置１０Ａは、携帯電話端末２０Ｂから応答信号を受信するまで待機する。
【００８４】
一方、携帯電話端末２０Ｂは、呼出信号を受信すると、携帯電話端末２０ＢのユーザＵＢにより応答指示情報が入力されるまで待機する。いま、ユーザＵＢが応答指示情報に割り当てられたキー２４ａを押し込むことにより、応答指示情報を入力した場合を想定して説明を続ける。
【００８５】
この場合、携帯電話端末２０Ｂは、通信制御装置１０Ｂを介して、応答信号を通信制御装置１０Ａへ送信する（ステップＤ１）。
これにより、通信制御装置１０Ａは、応答信号を受信する。従って、通信制御装置１０Ａは、携帯電話端末２０Ａと携帯電話端末２０Ｂとの間の通信用接続を確立する（ステップＢ４）。
この結果、携帯電話端末２０Ａと携帯電話端末２０Ｂとの間の通信が開始する。即ち、携帯電話端末２０Ａ及び携帯電話端末２０Ｂの状態は、携帯電話端末２０ＡのユーザＵＡと携帯電話端末２０ＢのユーザＵＢとの間で通話可能な状態となる。
【００８６】
次に、携帯電話端末２０Ａのメモリ２１ｂに、図４に示したように通信元基礎情報が記憶されるとともに、図９に示したように通信先情報が記憶されている状態を想定して、通信システム１の作動について説明する。
即ち、この例では、通信先電話番号情報「１２３−４５６７−８９０１」と通信先名称情報「ＡＡＡさん」とを含む通信先情報が、通信キャリア特定情報としていずれの情報も含んでいない。
【００８７】
この状態において、更に、携帯電話端末２０ＡのユーザＵＡが、電話番号「１２３−４５６７−８９０１」により特定される携帯電話端末２０ＢのユーザＵＢ（ユーザＵＡが「ＡＡＡさん」を通信先名称情報として設定したユーザ）と通話することを希望する場合について説明する。
【００８８】
この場合、携帯電話端末２０ＡのユーザＵＡによって、一覧表示指示情報が入力されると、携帯電話端末２０ＡのＣＰＵ２１ａは、図１０に示したように、通信先情報毎の通信先情報表示画像１００１〜１００４の一覧を、ディスプレイ２５ａに表示させる。
【００８９】
この場合、携帯電話端末２０Ｂに対する通信料金情報を取得することができないので、携帯電話端末２０Ｂに係る通信先情報表示画像１００１は、通話料金が「不明」であることを表す画像である。
従って、この時点では、ユーザＵＡは、携帯電話端末２０Ｂとの間で通信した場合における通信料金を認識することができない。
【００９０】
その後、上述した場合と同様に、携帯電話端末２０Ａは、通信先基礎情報を受信し、受信した通信先基礎情報をメモリ２１ｂに記憶させる（ステップＡ４）。
【００９１】
これによれば、ユーザＵＡにより入力された通信先基礎情報を携帯電話端末２０Ａが記憶する場合と比較して、ユーザＵＡが通信先基礎情報を入力する手間を軽減することができる。また、ユーザＵＡにより入力された通信先基礎情報を携帯電話端末２０Ａが記憶する場合よりも正確な通信先基礎情報を携帯電話端末２０Ａに記憶させることができる。この結果、より正確な通信料金情報を表示することができる。
【００９２】
この時点では、メモリ２１ｂには、図５に示したように、通信先情報が記憶されている。
そして、上述した場合と同様に、携帯電話端末２０Ａと携帯電話端末２０Ｂとの間の通信が開始する前に、ＣＰＵ２１ａは、メモリ２１ｂに記憶されている通信先情報及び通信元基礎情報に基づいて通信料金情報を取得し、通信先電話番号「１２３−４５６７−８９０１」と、通信先名称「ＡＡＡさん」と、取得した通信料金情報が表す通信料金「１０円／分」と、を表す画像をディスプレイ２５ａに表示させる（図７を参照）。
【００９３】
加えて、ＣＰＵ２１ａは、携帯電話端末２０Ａと携帯電話端末２０Ｂとの間の通信が開始する前に、取得した通信料金情報が表す通信料金をユーザに通知するためのメッセージ（本例では、「この通話は、1分あたり１０円が課金されます」というメッセージ）を含む音声をスピーカ２３ｂに出力させる（ステップＡ５）。
【００９４】
このように、携帯電話端末２０Ａは、携帯電話端末２０Ａと携帯電話端末２０Ｂとの間の通信が開始する前に、通信制御装置１０Ａから通信先基礎情報を受信し、受信した通信先基礎情報に基づいて通信料金情報を出力する。
【００９５】
これにより、通信が開始する前にユーザＵＡに通信料金を認識させることができる。この結果、通信が開始する前にユーザＵＡが通信を実際に開始させるか否かを判断することができる。従って、ユーザＵＡの利便性を向上させることができる。
【００９６】
また、以降においては、携帯電話端末２０Ｂに対する通信料金情報を取得することができるので、通信先情報毎の通信先情報表示画像の一覧が表示される際に、図６に示したように、携帯電話端末２０Ｂに対する（携帯電話端末２０Ａと携帯電話端末２０Ｂとの間で通信を行った場合における）通信料金も表示される。
【００９７】
以上、説明したように、本発明による通信システムの実施形態によれば、ユーザＵＡが携帯電話端末２０Ａに通信要求情報を送信させるための情報（通信先選択情報及び通信指示情報）を入力する操作を行う前に、ユーザＵＡに通信料金を認識させることができる。この結果、ユーザＵＡが無駄に情報を入力する操作を行うことを防止することができる。即ち、ユーザＵＡが情報を入力する手間を増加させることなく、通信料金をユーザＵＡに認識させることによりユーザＵＡに通信を行うか否かを決定させることができる。従って、ユーザＵＡの利便性を向上させることができる。
【００９８】
更に、上記実施形態においては、通信料金基礎情報は、通信先基礎情報と通信元基礎情報とを含む。これによれば、通信元基礎情報が変更されることにより、携帯電話端末２０Ａが各携帯電話端末との間で通信を行った場合における通信料金（各携帯電話端末に対する通信料金）が変更された場合、新たに通信先基礎情報を取得することなく、各携帯電話端末に対する通信料金情報を取得することができる。
【００９９】
なお、本発明は上記実施形態に限定されることはなく、本発明の範囲内において種々の変形例を採用することができる。例えば、上記実施形態においては、通信端末は、音声通信（通話）を行うように構成されていたが、データ通信を行うように構成されていてもよい。また、通信端末は、音声通信及びデータ通信の両方を行うように構成されていてもよい。
【０１００】
一方、上記実施形態においては、通信制御装置１０Ａは、通信先基礎情報を携帯電話端末２０Ａへ送信した（図８のステップＢ２）後、予め設定された時間だけ待機してから呼出信号を携帯電話端末２０Ｂへ送信する（図８のステップＢ３）ように構成されていた。ところで、上記実施形態において、携帯電話端末２０Ａは、通信料金情報を出力した（図８のステップＡ５）後に、通信制御装置１０Ａへ出力完了信号を送信するように構成され、且つ、通信制御装置１０Ａは、携帯電話端末２０Ａから出力完了信号を受信した後に呼出信号を携帯電話端末２０Ｂへ送信するように構成されていてもよい。
【０１０１】
また、上記実施形態は、メモリ２１ｂに記憶されている通信先情報のうちの、通信先選択情報（通信先電話番号情報）を含む通信先情報が、通信キャリア特定情報としていずれかの通信事業者を特定する情報を含んでいる場合（即ち、通信キャリア特定情報が既に設定（登録）されている場合）、ステップＢ１、ステップＢ２、ステップＣ１及びステップＡ４の処理を省略するように構成されていてもよい。更に、この場合、上記実施形態は、ステップＡ５の処理も省略するように構成されていてもよい。
【０１０２】
更に、上記実施形態は、通信先基礎情報として通信キャリア特定情報を用いるように構成されていたが、通信先の携帯電話端末２０Ｂが通信要求情報を送信することにより携帯電話端末２０Ｂが携帯電話端末２０Ａとの間で通信を行った場合における通信料金を算出する基準となる通信先料金プラン情報（例えば、携帯電話端末２０Ｂに適用される料金プランを識別する情報）を用いるように構成されていてもよい。また、上記実施形態は、通信が開始する時刻によって異なる通信元基礎情報を用いるように構成されていてもよい。
【０１０３】
加えて、上記実施形態は、携帯電話端末２０Ａと携帯電話端末２０Ｂとの間の通信が開始する前に携帯電話端末２０Ａが通信制御装置１０Ａから通信先基礎情報を受信するように構成されていたが、携帯電話端末２０Ａと携帯電話端末２０Ｂとの間の通信が終了した後に携帯電話端末２０Ａが通信制御装置１０Ａから通信先基礎情報を受信するように構成されていてもよい。これによれば、通信の開始が遅延することを回避することができる。
【０１０４】
更に、上記実施形態において、携帯電話端末２０Ａは、ユーザＵＡにより入力された通信先基礎情報をメモリ２１ｂに記憶させるように構成されていてもよい。これによれば、通信制御装置１０Ａと携帯電話端末２０Ａとの間の通信量を低減することができる。
【０１０５】
更に、上記実施形態においては、通信料金情報は、単位時間あたりの料金を表す情報であったが、単位料金あたりの通信時間を表す情報であってもよい。
【０１０６】
また、上記実施形態においては、通信端末は、携帯電話端末であったが、ＰＤＡ（Ｐｅｒｓｏｎａｌ  Ｄａｔａ  Ａｓｓｉｓｔａｎｃｅ）、シンクライアント端末、パーソナルコンピュータ、スマートフォン、ＰＨＳ（Ｐｅｒｓｏｎａｌ  Ｈａｎｄｙｐｈｏｎｅ  Ｓｙｓｔｅｍ）又はゲーム機等であってもよい。
【産業上の利用可能性】
【０１０７】
本発明は、複数の携帯電話端末及び携帯電話端末間の通信を制御する基地局を含む携帯電話用通信システム等に適用可能である。
【図面の簡単な説明】
【０１０８】
【図１】本発明の実施形態に係る通信システムの概略構成を表す図である。
【図２】図１に示した携帯電話端末の概略構成を表す図である。
【図３】図１に示した携帯電話端末及び通信制御装置の機能の概略を表すブロック図である。
【図４】図１に示した携帯電話端末に記憶された通信元基礎情報を含むテーブルである。
【図５】図１に示した携帯電話端末に記憶された通信先情報を含むテーブルである。
【図６】図１に示した携帯電話端末に表示される画像であって通信先情報の一覧を示した画像を表す図である。
【図７】図１に示した携帯電話端末に表示される画像であって通信の開始が指示された通信先の携帯電話端末に係る通信先情報を示した画像を表す図である。
【図８】携帯電話端末と携帯電話端末との間の通信用接続を確立する際の携帯電話端末及び通信制御装置の作動を表すシーケンス図である。
【図９】図１に示した携帯電話端末に記憶された通信先情報を含むテーブルである。
【図１０】図１に示した携帯電話端末に表示される画像であって通信先情報の一覧を示した画像を表す図である。
【符号の説明】
【０１０９】
１      通信システム
１０Ａ，１０Ｂ  通信制御装置
１１    無線用アンテナ
２０Ａ，２０Ｂ  携帯電話端末
２１    制御部
２１ａ  ＣＰＵ
２１ｂ  メモリ
２２    無線信号処理部
２２ａ  無線用アンテナ
２３    音声信号処理部
２３ａ  マイクロホン
２３ｂ  スピーカ
２４    入力部
２４ａ  キー
２５    表示部
２５ａ  ディスプレイ
３１    情報記憶部
３２    通信料金情報取得部
３３    通信先一覧表示部
３４    通信指示情報受付部
３５    通信制御部
３６    通信情報出力部
４１    呼制御部
４１ａ  通信先基礎情報取得部
【図１】
2009224915.tif 000003
【図２】
2009224915.tif 000004
【図３】
2009224915.tif 000005
【図４】
2009224915.tif 000006
【図５】
2009224915.tif 000007
【図６】
2009224915.tif 000008
【図７】
2009224915.tif 000009
【図８】
2009224915.tif 000010
【図９】
2009224915.tif 000011
【図１０】
2009224915.tif 000012